(57)【要約】【課題】電気機械と共に使用するためのシフトギアボックスを提供する。【解決手段】本発明は、２つのギアを有するシフトギアボックス（１）であって、ギアボックス（１）の入力シャフト（２）を電気機械（３）によって駆動させることができ、入力シャフト（２）が、少なくとも１つの一方向クラッチ（４）を介してギアボックス（１）の出力シャフト（５）に接続されるシフトギアボックス（１）に関する。  前記タイプのシフトギアボックスの場合、本発明によれば、クラッチ（４）に対して平行に配置された遊星ステージ（６）が、自動車の車輪（３０）、または車輪（３０）を有する車軸（７）を駆動するために、ギアボックス（１）の出力シャフト（５）に接続され、遊星ステージ（６）が切替え可能であるようになっている。  前記タイプのシフトギアボックスは、簡単な設計で、ギアボックスのギアの簡単なシフティングを可能にする。【選択図】      図１
2014173731.tif 000002
【特許請求の範囲】
【請求項１】
２つのギアを有するシフトギアボックス（１）であって、前記ギアボックス（１）の入力シャフト（２）を電気機械（３）によって駆動させることができ、前記入力シャフト（２）が、少なくとも１つの一方向クラッチ（４）を介して前記ギアボックス（１）の出力シャフト（５）に接続され、前記クラッチ（４）に対して平行に配置された遊星ステージ（６）が、自動車の車輪（３０）、または車輪（３０）を有する車軸（７）を駆動するために、前記ギアボックス（１）の前記出力シャフト（５）に接続され、前記遊星ステージ（６）が切替え可能であることを特徴とするシフトギアボックス（１）。
【請求項２】
前記入力シャフト（２）が中間シャフトであり、前記電気機械（３）の回転子シャフト（１１）が、平歯車（１２）または遊星ステージを介して前記入力シャフト（２）に接続されることを特徴とする請求項１に記載のシフトギアボックス。
【請求項３】
前記一方向クラッチ（４）が、非嵌合係止または嵌合係止作用を有するクラッチ（４）であることを特徴とする請求項１または２に記載のシフトギアボックス。
【請求項４】
前記クラッチ（４）が、フリーホイールの形態であることを特徴とする請求項３に記載のシフトギアボックス。
【請求項５】
前記クラッチ（４）が、切替え可能なクラッチの形態であることを特徴とする請求項３に記載のシフトギアボックス。
【請求項６】
前記切替え可能なクラッチ（４）が、ジョークラッチの形態であることを特徴とする請求項５に記載のシフトギアボックス。
【請求項７】
前記クラッチ（４）が、切替え可能なクラッチの形態であり、前記クラッチ（４）が、１つの切替え位置で１つの回転方向に作用し、別の切替え位置で逆の回転方向に作用することを特徴とする請求項１〜６のいずれか一項に記載のシフトギアボックス。
【請求項８】
前記入力シャフト（２）を、前記クラッチ（４）によって、前記クラッチ（４）に対して平行に配置された前記遊星ステージ（６）の内歯車キャリア（２２）と動作接続させることができ、前記内歯車キャリア（２２）が、前記ギアボックス（１）の前記出力シャフト（５）に接続されることを特徴とする請求項１〜７のいずれか一項に記載のシフトギアボックス。
【請求項９】
前記内歯車キャリア（２２）が、外側歯列（２３）を有し、前記外側歯列（２３）が、ギアホイール（２４）と相互作用し、前記ギアホイール（２４）が、一体回転するように前記出力シャフト（５）に接続され、前記ギアホイール（２４）が、特に平歯車の形態であることを特徴とする請求項８に記載のシフトギアボックス。
【請求項１０】
前記ギアのシフティングのために、前記遊星ステージ（６）の太陽歯車（１７）を固定化することができることを特徴とする請求項１〜９のいずれか一項に記載のシフトギアボックス。
【請求項１１】
アクチュエータ（１９）、特にブレーキによって前記太陽歯車（１７）を固定化することができることを特徴とする請求項１０に記載のシフトギアボックス。
【請求項１２】
前記ブレーキが、乾式ブレーキの形態であることを特徴とする請求項１１に記載のシフトギアボックス。
【請求項１３】
前記ギアボックス（１）が、自動車の両側に配置された前記自動車の車輪を駆動する働きをし、前記出力シャフト（５）が、前記自動車の前記車軸（７）の２つの車軸セクションのディファレンシャルギアボックス（１０）と相互作用することを特徴とする請求項１〜１２のいずれか一項に記載のシフトギアボックス。
【請求項１４】
前記シフトギアボックス（１）が単一の車輪（３０）を駆動する働きをし、鏡映対称に配置されたパワーシフトギアボックス（１、１）によって、前記自動車の同じ車軸（７）の２つの車輪（３０、３０）を互いに独立して駆動させることができ、前記シフトギアボックス（１、１）の前記遊星ステージ（６、６）、特に前記太陽歯車（１７、１７）を共に固定化することができることを特徴とする請求項１〜１２のいずれか一項に記載のシフトギアボックス。
【請求項１５】
単一のアクチュエータ（１９）を、前記シフトギアボックス（１、１）の前記遊星ステージ（６、６）、特に前記太陽歯車（１７、１７）と動作接続させることができることを特徴とする請求項１４に記載のシフトギアボックス。
【請求項１６】
前記単一のアクチュエータ（１９）によって、切替え可能なクラッチの形態での前記クラッチ（４）も切り替えることができることを特徴とする請求項１５に記載のシフトギアボックス。
【発明の詳細な説明】
【技術分野】
【０００１】
本発明は、２つのギアを有するシフトギアボックスであって、ギアボックスの入力シャフトを電気機械によって駆動させることができ、入力シャフトが、少なくとも１つの一方向クラッチを介してギアボックスの出力シャフトに接続されるシフトギアボックスに関する。
【背景技術】
【０００２】
前記タイプのシフトギアボックスは、実践より知られている。そのようなシフトギアボックスは、２つの平歯車を保持する回転子シャフトを有する電気機械と共に使用することができる。前記２つの平歯車のうち、一方は、回転子シャフトに固定接続され、他方は、クラッチが閉じているときに一体回転するように回転子シャフトに接続されることができる。回転子シャフトに固定接続された平歯車は、フリーホイールを介してさらなるシャフトに取り付けられた平歯車と噛み合う。前記さらなるシャフトは、一体回転するようにさらなる平歯車を保持する。前記さらなる平歯車は、クラッチによってのみ作動させることができる回転子シャフトの平歯車と係合する。ギアボックスのフリーホイールが割り当てられるシャフトは、一体回転するようにさらなる平歯車を保持し、前記さらなる平歯車は、ディファレンシャルのギアホイールと相互作用する。自動車の側部に配置され、自動車の車軸の２つの車軸セクションに割り当てられる２つの車輪を、前記ディファレンシャルを介して駆動させることができる。
【０００３】
シフトギアボックスの前記構成における欠点は、回転子シャフトに取り付けられた平歯車が、回転子シャフトに対して平行に配置されたシャフトの平歯車と永久的に係合していることである。
【０００４】
ギアボックスで使用されるフリーホイールは、一方向クラッチを構成する。他方のクラッチが閉じられ、それにより、前記クラッチに割り当てられた平歯車が一体回転するように回転子シャフトに接続される場合、回転子シャフトに対して平行に配置されたシャフトが、フリーホイールが空転される角速度で駆動され、それに従って、フリーホイールを介さずにトルクが伝達される。
【発明の概要】
【発明が解決しようとする課題】
【０００５】
本発明の目的は、簡単な設計で、ギアボックスのギアの簡単なシフティングが可能になるように、冒頭で述べたタイプのシフトギアボックスをさらに発展させることである。
【課題を解決するための手段】
【０００６】
上記目的は、冒頭で述べたタイプのシフトギアボックスの場合、クラッチに対して平行に配置された遊星ステージ（遊星段）が、自動車の車輪、または車輪を有する車軸を駆動するために、ギアボックスの出力シャフトに接続され、遊星ステージが切替え可能であることによって達成される。
【０００７】
本発明によるシフトギアボックスの設計により、遊星ステージまたは遊星歯車セットがブロックとして回転するので、一方のギア、特に第１のギアでは、一方向クラッチのみを介するパワーフローとなる。遊星ステージの切替え、すなわち遊星ステージの固定化により、他方のギア、特に第２のギアへのシフトが生じ、それにより、一方向クラッチが空転される。
【０００８】
特に、上記シフトギアボックスは、入力シャフトが中間シャフトであり、電気機械の回転子シャフトが、平歯車ステージまたは遊星ステージを介して中間シャフトに接続されるように構成される。
【０００９】
一方向クラッチは、様々な設計のものでよい。一般に、一方向クラッチは、非嵌合係止または嵌合係止作用を有するクラッチである。クラッチは、例えば、フリーホイール、または切替え可能なクラッチの形態である。前記切替え可能なクラッチは、例えば、ジョークラッチである。
【００１０】
切替え可能なクラッチの形態であるクラッチは、クラッチが、１つの切替え位置で１つの回転方向に作用し、別の切替え位置で逆の回転方向に作用するように設計され得る。上記設計は、一方のギア、特に第１のギアでの回生、したがって発電機モードでの電気機械の動作を可能にする。電気機械が電動機モードのときにのみトルクの伝達を可能にする一方向のみのクラッチとは対照的に、逆向きに変更されたジョークラッチの形成により、逆の回転方向で電気機械にトルクを導入することが可能である。しかし、これは、クラッチの切替え可能な設計を必要とする。
【００１１】
遊星ステージは、入力シャフトを、クラッチによって、クラッチに対して平行に配置された遊星ステージの内歯車または内歯車キャリアと動作接続させることができるように設計されるのが好ましく、内歯車または内歯車キャリアは、ギアボックスの出力シャフトに接続される。内歯車キャリアは、特に、外側歯列を有する。外側歯列は、ギアホイールと相互作用する。ギアホイールは、一体回転するように出力シャフトに接続される。前記ギアホイールは、特に平歯車の形態である。
【００１２】
遊星ステージの切替えは、様々な方法で実現することができる。ギアのシフティングのために、遊星ステージの太陽歯車を固定化することができる場合に、特に有利であると考えられている。太陽歯車は、好ましくは、アクチュエータ、特にブレーキによって固定化することができる。ブレーキは、特に、乾式ブレーキの形態である。
【００１３】
シフトギアボックスは、例えば、自動車の両側に配置された自動車の車輪を駆動する働きをする。この場合、出力シャフトは、自動車の車軸の２つの車軸セクションのディファレンシャルと相互作用する。
【００１４】
あるいは、シフトギアボックスが単一の車輪を駆動する働きをし、鏡映対称に配置されたシフトギアボックスによって、自動車の同じ車軸の２つの車輪を互いに独立して駆動させることができるようになっている。この場合、異なるパワーシフトギアボックスの遊星ステージ、特に太陽歯車を、共に固定化することができる。したがって、個別車輪駆動機構が実現され、２つの電気機械が、各々の一方向クラッチ／遊星ギアボックス構成を介して各々の車輪に作用する。ここで特に有利なのは、２つの遊星ステージ、または２つの遊星ステージの太陽歯車の固定化に、アクチュエータが１つしか要求されない。したがって、ギアのシフティングのために、アクチュエータが１つしか要求されず、さらに、両方の駆動機構の同時のシフティングが保証される。
【００１５】
したがって、上記の改良形態を含む本発明は、電動車輪または車軸のための２つのギアを有するシフトギアボックスを提案する。このために、電気機械は、平歯車または遊星ステージによって中間シャフトに接続される。中間シャフトはさらに、例えばフリーホイールの形態である少なくとも１つの一方向クラッチを介して、かつ、前記クラッチに対して平行に配置され、特に固定化することができる太陽歯車と共に構成された遊星ステージを介して、車軸を駆動するためにディファレンシャルに接続されるか、または個々の車輪を駆動するために車軸セクションのシャフトのギアホイールに接続される。したがって、一方のギア、特に、遊星ステージまたは遊星ステージの太陽歯車が固定または制動されない第１のギアでは、遊星歯車セットがブロックとして回転するので、２つの歯列ステージのみを介するパワーフローとなる。他方の、特に第２のギアへのシフトは、遊星歯車セットまたは太陽歯車を固定化することによって実現され、一方向クラッチが非作動にされ、特にフリーホイールが空転される。
【００１６】
本発明の上述した改良形態に鑑みて、遊星ステージと相互作用するブレーキ／クラッチによって、さらに一方向クラッチ、特にフリーホイールによって、本発明によるシフトギアボックスを使用してパワーシフトを行うことができる。パワーシフト機能は、単一のアクチュエータによって実施することができる。ブレーキ／クラッチを乾式ブレーキの形態にすることができることにより、スリップ損失が低くなり、したがって効率が高くなる。パワーフロー内にあり動作する歯列ステージを２つのみ備える第１のギア（一次ギア）では、切替え可能な遊星歯車セットがブロックとして回転し、パワーフローの一部ではないという条件の下で、効率面でかなりの利点があり、遊星歯車セット構成要素に対する負荷がない。非常に良好なフェールセーフ特性が得られる。したがって、第１のギアでのフリーホイールと、第２のギアに関する通常は開いているブレーキまたはクラッチとが存在する。第１のギアでフリーホイールが使用される場合、第２のギアでのみ回生が可能である。第１のギアでの回生機能が要求される場合には、フリーホイールは、クラッチ、好ましくはジョークラッチによって補完される。ジョークラッチおよびブレーキのために、アクチュエータが１つのみ設けられることが好ましい。上記ギアボックス構成の場合、はねかけ潤滑を実現することができるので、オイルポンプは必要ない。ギアボックスの上記構成のおかげで、ギアボックスは、最小限の径方向シャフト封止リングしか要求しない。これにより、高い効率が得られる。
【００１７】
本発明のさらなる特徴は、従属請求項、添付図面、および図面に示される好ましい例示的実施形態の説明から理解され、しかし本発明はそれらに限定されない。
【図面の簡単な説明】
【００１８】
【図１】電気機械およびディファレンシャルギアボックスに接続されたシフトギアボックスの第１の例示的実施形態の概略図である。
【図２】第１の例示的実施形態によるシフトギアボックスに関する好ましい軸受および封止の構想を示す図である。
【図３】鏡映配置の２つのシフトギアボックスを備える、各々のシフトギアボックスが１つの電気機械および自動車の車軸の単一の車輪と相互作用する、シフトギアボックスの第２の例示的実施形態の概略図である。
【発明を実施するための形態】
【００１９】
図１による例示的実施形態は、２つのギアを有するシフトギアボックス１を示す。ギアボックス１の入力シャフト２は、電気機械３によって駆動することができる。入力シャフト２は、一方向クラッチ４を介して、ギアボックス１の出力シャフト５に接続される。自動車、特に乗用車の２つの車輪（図示せず）を備える車軸を駆動するために、クラッチ４に対して平行に配置された遊星ステージ６または遊星歯車セットが、平歯車ステージ２３、２４を介して出力シャフト５に接続される。車軸７は、２つのシャフト８および９を有する。一方のシャフトが一方の車輪に接続され、他方のシャフトが他方の車輪に接続される。ディファレンシャルギアボックス１０の入力は、出力シャフト５によって形成され、ディファレンシャルギアボックス１０は、２つのシャフト８および９の間で作用する。
【００２０】
具体的には、入力シャフト２は、中間シャフトである。電気機械３の回転子シャフト１１は、一体回転するように平歯車１２に接続される。平歯車１２は平歯車１３と噛み合う。平歯車１３は、一体回転するようにギアボックス１の入力シャフト２に接続される。電気機械３の回転子は、参照番号１４で表される。当然、平歯車１２および１３によって形成される平歯車ステージの代わりに、遊星タイプの構成のステージを設けることもできる。
【００２１】
クラッチ４は、フリーホイール、例えばクランピングローラを使用するフリーホイールの形態をとっている。任意選択的に、特に電気機械３が電動機モードではなく発電機モード、したがって回生モードで動作されることが望まれる場合には、ジョークラッチと、対応するアクチュエータとの組合せを設けることができる。
【００２２】
遊星ステージ６の設計に関して、遊星歯車１６を保持する遊星キャリア１５が、一体回転するようにギアボックス１の入力シャフトに接続される。遊星歯車１６は、太陽歯車１７と噛み合う。太陽歯車１７は、一体回転するようにシャフト１８に接続される。シャフト１８、したがって太陽歯車１７は、ブレーキの形態でアクチュエータ１９によって固定化され得る。前記アクチュエータは、切替え可能である。前記アクチュエータは、オートマチックギアボックスのブレーキと同様に、一体回転するようにシャフト１８に接続されたブレーキディスク２０をクランプする。ブレーキは、特に、乾式ブレーキである。
【００２３】
さらに、遊星歯車１６は、遊星ステージ６の内歯車２１と噛み合う。前記内歯車２１は、内歯車キャリア２２と相互作用する。内歯車キャリア２２は、フリーホイールクラッチ４と相互作用する。内歯車キャリア２２は、径方向外側で平歯車２３に接続される。平歯車２３は、平歯車２４と噛み合う。平歯車２４は、一体回転するように出力シャフト５に接続される。出力シャフト５とディファレンシャルハウジング２５とが、構造ユニットを形成する。
【００２４】
上述したパワーシフト可能なシフトギアボックス１の動作形態は、以下に記されている。
【００２５】
第１のギア（一次ギア）において、太陽歯車１７が固定化されていないアクチュエータ１９の機能位置の場合には、２つの歯列ステージのみがパワーフロー内にあり、動作する。具体的には、第１のギアでは、回転子シャフト１１が回転子１４を介して駆動される。前記回転子シャフトが、平歯車１２を介して平歯車１３を駆動する。平歯車１３は、入力シャフト２を駆動し、フリーホイールクラッチ４を介して、内歯車キャリア２２、従って平歯車２３を駆動する。平歯車２３は、平歯車２４を駆動する。平歯車２４は、ディファレンシャルギアボックス１０を介して、自動車の車輪に割り当てられた２つのシャフト８および９を駆動する。太陽歯車１７が固定化されないことにより、切替え可能な遊星ステージ６はブロックとして回転し、パワーフロー内にない。
【００２６】
固定化されたブレーキディスク２０によって太陽歯車１７が固定化されるようにアクチュエータ１９が作動される場合、シフトギアボックス１は、第２のギア（二次ギア）に入る。このとき、太陽歯車１７が静止した状態で、トルクは、回転子１４から回転子シャフト１１を介して平歯車１２に流れる。そこからトルクは平歯車１３、さらに入力シャフト２へと流れ、入力シャフト２は、フリーホイールが空転されるような角速度で回転する。遊星キャリア１５は、入力シャフト２と同じ角速度で回転する。前記遊星キャリアによって駆動される遊星歯車１６が、内歯車２１を駆動し、それに従って内歯車キャリア２２が、内歯車２１と同じ角速度で回転する。内歯車キャリア２２は、その外側歯列を介して、内歯車キャリア２２に固定接続された平歯車２３を駆動し、前記平歯車が順に、平歯車２４およびディファレンシャルギアボックス１０を介してシャフト８および９を駆動する。
【００２７】
フリーホイールクラッチ４が使用される場合、例示的実施形態によるギアボックスの構成により、第２のギアでのみ回生が可能である。第１のギアでの回生機能が必要とされる場合、フリーホイールは、クラッチ、好ましくはジョークラッチによって補完される。ジョークラッチおよびブレーキのために、アクチュエータが１つだけ設けられることが好ましい。
【００２８】
図２は、軸受および封止の構想を示す。参照番号２６は、前記構成で使用される第１の軸受を表す。前記第１の軸受は、軸方向軸受、特に軸方向針状ころ軸受の形態である。参照番号２７は、前記構成で使用される第２の軸受を表す。前記第２の軸受は、径方向軸受、特に径方向（針状ころ）軸受の形態である。参照番号２８は、前記構成で使用される第３の軸受を表す。前記第３の軸受は、深溝玉軸受、アンギュラ玉軸受、円錐ころ軸受、または円筒ころ軸受である。封止の構想に関して、参照番号２９が、前記構成で使用される４つの径方向シャフト封止リングを表す。また、ブレーキアクチュエータの形態でのアクチュエータ１９も示される。前記アクチュエータ１９は、様々な設計変形形態で設けられ得る。例えば、電動式、電磁式、油圧式、または空気圧式で作用することができる。
【００２９】
図３による例示的実施形態は、１つのシフトギアボックスではなく、鏡映対称に配置された２つのシフトギアボックス１、１が設けられる点で、図１の例示的実施形態とは異なる。図１による例示的実施形態とは対照的に、２つのギアボックス１、１に割り当てられたブレーキディスク２０のために共通のアクチュエータ１９が設けられ、それにより、２つのギアボックス１、１の２つの太陽歯車１７を同時に固定化、および同時に解放することができる。駆動出力側で、平歯車２４は、ディファレンシャルギアボックス１０に割り当てられた出力シャフト５と相互作用せず、前記出力シャフト５は、各シャフト８または９に固定接続される。図３による例示的実施形態は、自動車の車軸７の車輪３０のための個別車輪駆動機構である。各シャフト８または９が、アーティキュレーテッドシャフト３１を介して、前記各シャフト８または９に割り当てられた車輪３０と相互作用する。
【００３０】
２つのシフトギアボックス１、１から形成される前記構成の動作形態に関しては、図１の例示的実施形態の動作形態に関して述べた説明を参照されたい。図３による例示的実施形態の軸受の構想は、図１による例示的実施形態のものに対応する。封止の構想に関しては、図３による例示的実施形態では、６つの径方向シャフト封止リングが設けられる。
【００３１】
特に、上記の場合、図１による構成を、基本的な解決策または基本的な駆動機構とみなすことができる。前記構成が２つ提供されるとき、モジュール式システムの形で、図３のような構成がもたらされる。
【符号の説明】
【００３２】
１  シフトギアボックス
２  入力シャフト
３  電気機械
４  クラッチ
５  出力シャフト
６  遊星ステージ
７  車軸
８  シャフト
９  シャフト
１０  ディファレンシャルギアボックス
１１  回転子シャフト
１２  平歯車
１３  平歯車
１４  回転子
１５  遊星キャリア
１６  遊星歯車
１７  太陽歯車
１８  シャフト
１９  アクチュエータ
２０  ブレーキディスク
２１  内歯車
２２  内歯車キャリア
２３  平歯車
２４  平歯車
２５  ディファレンシャルハウジング
２６  軸受
２７  軸受
２８  軸受
２９  径方向シャフト封止リング
３０  車輪
３１  アーティキュレーテッドシャフト
【図３】
2014173731.tif 000003
【図１】
2014173731.tif 000004
【図２】
2014173731.tif 000005